(57)【要約】      （修正有）【課題】特定の線状または環状の照明の表示区を形成できると共に、発光素子の配置数を減少することによってコストダウンの目的を図る。【解決手段】少なくとも一つの発光素子２が設けてあるバック・ライト・モジュールに応用される光軌道１０２を有する光線案内フレーム１において、前記発光素子を収納する収納区１０１と、その収納区より延出される複数の光軌道とを有する分岐型発光部１０と、前記分岐型発光部を包む反射部材１１と、前記分岐型発光部に連接され、線状または環状の照明の表示区５を提供する所定形状の光線案内部１２とを有する。【選択図】図４
0003100743.tif 000002
【実用新案登録請求の範囲】
【請求項１】
少なくとも一つの発光素子が設けてあるバック・ライト・モジュールに応用される光軌道を有する光線案内フレームにおいて、
前記発光素子を収納する収納区と、その収納区より延出される複数の光軌道とを有する分岐型発光部と、
前記分岐型発光部を包む反射部材と、
前記分岐型発光部に連接され、線状または環状の照明の表示区を提供する所定形状の光線案内部とを有することを特徴とする光軌道を有する光線案内フレーム。
【請求項２】
前記発光部材として発光ダイオードを使用することを特徴とする請求項１に記載の光軌道を有する光線案内フレーム。
【請求項３】
前記光線案内部が前記光軌道に設けられる複数の光線案内条にそれぞれ対応するように設定されることを特徴とする請求項１に記載の光軌道を有する光線案内フレーム。
【請求項４】
前記光線案内部としてＵ字形光線案内部材を採用し、それには二本の第一光線案内条同士と、それらの二本の第一光線案内条同士を連接する第二光線案内条同士と、を有し、その中、前記第二光線案内条が前記光軌道に連接され、且つ前記二本の第一光線案内条にはそれぞれ対向しあう二つの内側縁部を有し、且つ前記複数の光軌道の中の最も外側の二つの光軌道が三角形を形成するように挟持詰め込まれ、当該三角形の底辺部が前記第一光線案内条の二つの内側縁部のギャップより大きくなるように設定され、且つ前記第二光線案内条には前記光軌道に対向する複数の反射面が設けられ、それらの反射面がその凹み深さを変化でき、それによって反射面の反射する光線通過量を調整し、その中、前記光線案内部が前記反射面を設けるため、複数の折り曲げ箇所を生成し、それらの折り曲げ箇所が円弧状に形成されるように設定されることを特徴とする請求項１に記載の光軌道を有する光線案内フレーム。
【請求項５】
前記光線案内部として矩形枠を採用し、それには二本の第一光線案内条と、それら二本の第一光線案内条の二つの第一端部を連接する第二光線案内条と、前記二本の第一光線案内条の二つの第二端部を連接する第三光線案内条と、を有し、前記第二光線案内条が前記光軌道に連接され、且つ前記二本の第一光線案内条同士にはそれぞれ二つの対向しあう二つの内側縁部を有し、且つ前記複数の光軌道の中の最も外側の二つの光軌道が三角形を形成するように挟持詰め込まれ、当該三角形の底辺部が前記第一光線案内条の二つの内側縁部のギャップより大きく形成され、且つ前記第二光線案内条には前記光軌道に対応する複数の第一反射面が形成され、且つ前記第三光線案内条が両端部にそれぞれ複数の第二反射面が形成され、前記第一と第二の反射面がその凹み深さを改変でき、それによって反射面の反射する光線通過量を調整し、その中、前記光線案内部が第一と第二の反射面を設けるため、複数の折り曲げ箇所を形成し、それらの折り曲げ箇所が円弧状に形成されることを特徴とする請求項１に記載の光軌道を有する光線案内フレーム。
【請求項６】
前記第三光線案内条は中間部分にはそれぞれ幅がますます狭まる狭まり段が形成され、それによって光線が前記第三光線案内条に伝達される場合に、依然として高均一さの要求を満足できるようにすることを特徴とする請求項５に記載の光軌道を有する光線案内フレーム。
【請求項７】
前記分岐型発光部が二つあり、且つそれぞれ第二と第三の光線案内条を連接し、その中、前記第二と第三の光線案内条にはそれぞれ前記光軌道に対応する複数の第一反射面が形成され、当該第一反射面がその凹み深さを改変でき、それによって前記反射面の反射する光線通過量を調整でき、その中、前記光線案内部が第一反射面を設けるため、複数の折り曲げ箇所を形成し、それらの折り曲げ箇所が円弧状に形成されることを特徴とする請求項５に記載の光軌道を有する光線案内フレーム。
【請求項８】
前記第一光線案内条は中間部分にはそれぞれ幅がますます狭まる狭まり段が形成され、それによって光線が前記第一光線案内条に伝達される場合に、依然として高均一さの要求を満足できるようにすることを特徴とする請求項７に記載の光軌道を有する光線案内フレーム。
【考案の詳細な説明】
【技術分野】
【０００１】
本考案は、光線案内フレームに係わり、特に光軌道を有する光線案内フレームに関するものである。
【背景技術】
【０００２】
消費性電子製品の開発に従って、バック・ライト・モジュールの応用範囲がますます広範的になりつつあり、例えば携帯電話やポータブル・コンピュータやパーソナル・デジタル・アシスタント（ＰＤＡ）などのスクリーンやボタンやタッチ・パッドやポインティング・スチックなどには光線照明手段が導入されている。
【０００３】
しかしながら、特殊のニーズの照明表示の場合では、例えば所定造形の表示装置に沿って形成される特定の線状または環状の照明について、従来の処置方法は発光素子（例えばＬＥＤ）を所定造形のニーズに応じて配列する。しかしながら、このような方法は数量がかなり多い発光素子を要し、そのため、発光素子のかかるコストがかなり膨大になり、また、それらの発光素子は大体非緊密的な隣接方式によって配列されるので、その表示エリアの輝度が均一的になることができない。
【考案の開示】
【考案が解決しようとする課題】
【０００４】
本考案は、ニーズに応じて高輝度と高均一さを提供可能な線状または環状の照明を提供し、且つコストダウンの目的を図れる光軌道を有する光線案内フレームを提供することをその主要な解決しようとする課題とする。
【課題を解決するための手段】
【０００５】
前記の課題を解決するために、本考案は、少なくとも一つの発光素子が設けてあるバック・ライト・モジュールに応用され、少なくとも分岐型発光部とその分岐型発光部を包む反射部材と前記分岐型発光部に連接される所定形状の光線案内部とを有し、その中、前記分岐型発光部には前記発光素子を収納する収納区とその収納区より延出される複数の光軌道とを含み、前記光軌道が前記発光素子の射出する光線を伝達し、且つその光線を光線案内部へ案内し、前記光線案内部がニーズに応じて所定の形状に形成され、所定の線状または環状の照明表示エリアを形成するように考案される光軌道を有する光線案内フレームを提供する。
【考案の効果】
【０００６】
本考案は、発光素子の配置数量を減少することができるため、コストダウンの目的を図れる光軌道を有する光線案内フレームを提供できる。
【０００７】
本考案の特徴と技術内容を詳細的で具体的に説明するために、以下に図面を参照しながら本考案の好適な実施の形態を詳しく説明するが、それらの説明による具体的な構造は単に説明に利するものに過ぎず、本考案の主張範囲を狭義的に制限するものではない。
【考案を実施するための最良の形態】
【０００８】
図１に示すように、本考案は、光軌道を有する光線案内フレーム１を提供し、それが少なくとも一つの発光素子２が設けられるバック・ライト・モジュールに応用され、発光素子２が発光ダイオード（ＬＥＤ）である。
【０００９】
また、前記光軌道を有する光線案内フレーム１には、少なくとも分岐型発光部１０と、その分岐型発光部１０を包む反射部材１１と、分岐型発光部１０に連接される所定形状の光線案内部１２とを有し、その中、分岐型発光部１０には発光部材２を収納する収納区１０１と、その収納区１０１より延出される複数の光軌道１０２とを有し、光軌道１０２が発光素子２の射出する光線を伝達すると共に、その光線を光線案内部１２に案内する。光線案内部１２がそれぞれ異なる形状と形式によって分岐型発光部１０に連接され、線状または環状の照明の表示エリア５を提供し、その中、光軌道を有する光線案内フレーム１は反射部材１１を光線案内部１２の側表面部に包み、または光線案内部１２の底面部において光線を光線案内部１２の上面部より射出し、光線案内部１２の輝度を向上する。
【００１０】
図１に示すように、光線案内部１０は複数本の光線案内条１２０からなり、それぞれ光軌道１０２を連接し、前記光線が第一光線案内経路２１に沿って伝達され、二本の平行線状の表示エリア５を形成する。
【００１１】
図２に示すように、光線案内部１０としてＵ字形光線案内部材を採用し、それには二本の光線案内条１２１とそれらの二本の第一光線案内条同士１２１を連接する第二光線案内条１２２を有し、その中、第二光線案内条１２２が光軌道１０２に連接され、それら二本の第一光線案内条１２１がそれぞれ対向しあう二つの内側縁部を有し、それらの複数の光軌道１０２の中の最も外側の日本の光軌道が三角形を形成するように挟持詰め込まれ、その三角形の底辺部ａが前記第一光線案内条の二つの内側縁部のギャップｂより大きく形成され、それによって光線が二本の第一光線案内条１２１に伝達される場合に、阻止を受けなく、順調に伝達できるようにする作用を有し、阻止による光線滞留現象と光線消耗現象を避けられる。
【００１２】
図２に示すように、第二光線案内条１２２には光軌道１０２に対応する複数の反射面３が形成され、光線が第二光線案内経路２２に沿って伝達され、それによって光線を均一的に第二光線案内条１２２内に分布させることができる。また、反射面３がその凹み深さを改変でき、その改変により反射面３の反射の光線通過量の多少を調整できる。光線案内部１２にはさらにその反射面３に円弧状の複数の折り曲げ箇所３１が設けられ、それらによって光線がそれらの折り曲げ箇所３１において集中して阻害を生成することを避けられ、光線滞留現象と光線消耗現象をなくすことができる。
【００１３】
本考案は、光線案内部１２を利用して、ニーズに応じて光線案内条１２０またはＵ字形光線案内部材を使用し、それによって所定区域の線状または環状の照明を形成し、同時に発光素子２の配置数を減少し、コストダウンの目的を図れる。
【００１４】
図２に示すように、その光線案内部１０が矩形枠に形成され、二本の第一光線案内条１２１と、それらの二本の第一光線案内条１２１の二つの第一端部を連接する第二光線案内条１２２と、二本の第一光線案内条１２１の二つの第二端部を連接する第三光線案内条１２３とを有し、且つ図２において、その三角形の底辺部ａが前記第一光線案内条の二つの内側縁部のギャップｂより大きく形成され、光線を二本の第一光線案内条１２１に伝達される場合に、阻害を受けず、順調に伝達できるようにし、阻害による光滞留現象と光消耗減少をなくすことができる。
【００１５】
図３に示すように、その中、第三光線案内条１２３には、中間部分に幅が狭まる狭まり段４が形成され、明るさが単位断面積における輻射の光線通過量に等しい原理に従って、光線通過量が一定になる場合に、その明るさが断面積の縮小することに従って向上され、そのため、その狭まり段４が光線の伝達による光損失によって明るさが低下されるようになることを避けられ、光線が第三光線案内条１２３に伝達される際に、依然として光均一さを維持できる要求を満足できる。
【００１６】
図１と図２に示すように、光軌道１０２の配置数量が二つあり、その光軌道１０２が光線案内条１２０またはそのＵ字形光線案内部材の第一光線案内条１２１と一対一となる関係に対応し、光線が第一光線案内経路２１に沿って伝達できる。また、図２に示すように、そのＵ字形光線案内部材のその第二光線案内条１２２が二つの光軌道１０２に対応する箇所にそれぞれ二つの反射面３が設けられ、光線を第二光線案内経路２２に沿って伝達する。
【００１７】
図３に示すように、光軌道１０２の配置数量が三つにしてもよく、その中、最も外側の二つの光軌道１０２が第一光線案内条１２１に対応連接され、且つその第二光線案内条１２２の中間の光軌道１０２に対応する箇所に二つの反対する反射面３が凹んで形成しており、光線が第三光線案内経路２３に沿って伝達され、また、第三光線案内経路２３に沿って伝達される光線の光線通過量が中間の光軌道１０２の幅によって調整できる。
【００１８】
前記のように、本考案の前記の矩形枠が高均一さを有する環状照明の表示エリア５を提供できる。
【００１９】
図１と図２と図３に示すように、光線案内部１２がそれぞれ異なる形状によって線状または環状の照明を形成でき、その光線案内部１２が一つ以上の分岐型発光部１０を連接でき、その光線案内部１２の輝度を向上できる。また、図４に示すように、光線案内部１２が矩形枠に形成され、その分岐型発光部１０の数量が二つあり、且つ光線案内部１２の対向する両側に設けられ、対称になるように配置され、それらの二つの分岐型発光部１０がそれぞれ光線案内部１２の第二光線案内条１２２と第三光線案内条１２３に連接され、その中、第二光線案内条１２２と第三光線案内条１２３とが両端部にそれぞれ光軌道１０２に対応する両反射面３が設けてあり、また、光線の障害による光損失を生じることをなくすために、その反射面３の凹んで形成される折り曲げ箇所３１が円弧状に形成され、その光線が図２と同じように、第一光線案内経路２１と第二光線案内経路２２に沿って伝達され、それによって光線を均一的に前記光線案内部に分布させる。その中、二つの第一光線案内条１２１はその中間部分には幅がますます狭まる狭まり段４が設けられ、その狭まり段４が光線伝達による光損失による明るさが低下される状況を生じることを避けられ、それによって、光線が二つの第一光線案内条１２１に伝達される場合に、依然として高均一さの要求を満足できる。
【００２０】
前記のように、本考案の前記矩形枠が高均一さと高輝度の環状照明の表示エリア５を提供できる。
【００２１】
本考案は、光線案内部１２を利用し、ニーズに応じて光線案内条１２０やＵ字形光線案内部材や矩形枠などを提供し、それらはすべて特定区域の線状または環状の表示エリア５の照明を提供でき、少なくとも一つの発光部材２を利用することによってコストダウンの目的を図り、且つ反射面３を設けることによって、光線を反射調整し、それによって光線を光線案内部１２内に均一的に分布させることによって光軌道を有する光線案内フレーム１の高均一さの目的を図り、本考案は、二つの発光部材２を設けることによって光線案内部１２の輝度を向上でき、光軌道を有する光線案内フレーム１の高輝度の目的を図る。
【産業上の利用可能性】
【００２２】
そのため、本考案の提供する光軌道を有する光線案内フレーム１は特定の区域の線状または環状の表示エリア５の照明を提供し、それが識別とガイディングを要する製品に利用でき、消費性の電子製品に応用できるほか、もっと多元化される応用にも適する。
【００２３】
前記に説明した通りに、本考案は確かに予期する目的と効果を達成でき、しかしながら、前記に掲げた技術手段は単に本考案の優れた実施例に過ぎず、本考案の要旨に従って実施されるいずれの修飾や変形はすべて本考案の主張範囲内に入る。
【図面の簡単な説明】
【００２４】
【図１】本考案の光軌道を有する光線案内フレームの第一の実施の形態を示す説明図である。
【図２】本考案の光軌道を有する光線案内フレームの第二の実施の形態を示す説明図である。
【図３】本考案の光軌道を有する光線案内フレームの第三の実施の形態を示す説明図である。
【図４】本考案の光軌道を有する光線案内フレームの第四の実施の形態を示す説明図である。
【符号の説明】
【００２５】
１      光線案内フレーム
２      発光素子
３      反射面
４      狭まり段
５      表示エリア
１０    分岐型発光部
１１    反射部材
１２    光線案内部
２１    第一光線案内経路
２２    第二光線案内経路
２３    第三光線案内経路
２４    第四光線案内経路
３１    折り曲げ箇所
１０１  収納区
１０２  光軌道
１２０  光線案内条
１２１  第一光線案内条
１２２  第二光線案内条
１２３  第三光線案内条
ａ      底辺部
ｂ      内側縁部ギャップ
【図１】
0003100743.tif 000003
【図２】
0003100743.tif 000004
【図３】
0003100743.tif 000005
【図４】
0003100743.tif 000006